(57)【要約】【課題】表示装置の動作が妨げられることを抑制しつつ、表示制御部を再起動させることができる表示装置を提供する。【解決手段】表示装置１００は、画像を表示可能な表示部３１を含む。表示装置１００は、出力制御部４１と、表示制御部４２と、取得部４３と、判定部４４とを備える。出力制御部４１は、表示部３１を制御する。表示制御部４２は、表示部３１に表示される画像を制御する。取得部４３は、表示装置１００の動作に関する情報を取得する。判定部４４は、取得部４３が取得した情報に基づいて、表示制御部４２が再起動するタイミングであるか否かを判定する。【選択図】図３
2019144300.tif 000002
【特許請求の範囲】
【請求項１】
画像を表示可能な表示部を含む表示装置であって、
前記表示部を制御する出力制御部と、
前記表示部に表示される画像を制御する表示制御部と、
前記表示装置の動作に関する情報を取得する取得部と、
前記取得部が取得した情報に基づいて、前記表示制御部が再起動するタイミングであるか否かを判定する判定部と
を備える、表示装置。
【請求項２】
前記出力制御部の第１スケジュールを記憶する記憶部をさらに備え、
前記第１スケジュールは、前記出力制御部の電源がオフになる停止時間帯を示す情報を含み、
前記取得部は、前記第１スケジュールを取得し、
現在時刻が前記停止時間帯内の時刻になると、前記表示制御部が再起動するタイミングであると前記判定部が判定する、請求項１に記載の表示装置。
【請求項３】
前記表示制御部の連続稼働時間を算出する稼働時間算出部と、
前記出力制御部の第１スケジュールを記憶する記憶部と
をさらに備え、
前記第１スケジュールは、前記出力制御部の電源がオフになる停止時間帯を示す情報を含み、
前記取得部は、前記第１スケジュールと、前記表示制御部の連続稼働時間を示す情報とを取得し、
第１条件と、第２条件とが満たされると、前記表示制御部が再起動するタイミングであると前記判定部が判定し、
前記第１条件は、現在時刻が前記停止時間帯内の時刻になる条件を示し、
前記第２条件は、前記表示制御部の連続稼働時間が所定の稼働時間以上になる条件を示す、請求項１に記載の表示装置。
【請求項４】
前記出力制御部の稼働状態を算出する稼働状態算出部と、
前記表示制御部の連続稼働時間を算出する稼働時間算出部と
をさらに備え、
前記取得部は、前記出力制御部の稼働状態を示す情報と、前記表示制御部の連続稼働時間を示す情報とを取得し、
第３条件と、第４条件とが満たされると、前記表示制御部が再起動するタイミングであると前記判定部が判定し、
前記第３条件は、前記出力制御部が停止状態になる条件を示し、
前記第４条件は、前記表示制御部の連続稼働時間が所定の稼働時間以上になる条件を示す、請求項１に記載の表示装置。
【請求項５】
前記出力制御部の電源をオン及びオフのうちのいずれかに切り替える入力部をさらに備え、
前記停止状態は、前記出力制御部の電源がオフになる状態を示す、請求項４に記載の表示装置。
【請求項６】
前記出力制御部の稼働状態を算出する稼働状態算出部と、
前記表示制御部の第２スケジュールを記憶する記憶部と
をさらに備え、
前記第２スケジュールは、前記表示制御部によっては画像再生が行われない休止時間帯を示す情報を含み、
前記取得部は、前記出力制御部の稼働状態を示す情報と、前記第２スケジュールとを取得し、
第３条件と、第５条件とが満たされると、前記表示制御部が再起動するタイミングであると前記判定部が判定し、
前記第３条件は、前記出力制御部が停止状態になる条件を示し、
前記第５条件は、現在時刻が前記休止時間帯内の時刻になる条件を示す、請求項１に記載の表示装置。
【請求項７】
前記表示制御部が再起動するタイミングであると前記判定部が判定すると、前記表示制御部が再起動する、請求項１から請求項６のいずれか１項に記載の表示装置。
【発明の詳細な説明】
【技術分野】
【０００１】
本発明は、表示装置に関する。
【背景技術】
【０００２】
特許文献１に記載の画像表示装置は、エラー処理モジュールを備える。エラー処理モジュールは、サブプロセッサーにおける異常を検出した場合に、所定の回復処理を実行する。所定の回復処理は、第１処理と第２処理とを含む。第１処理は、異常の累積発生回数が所定の回数以下である場合に、異常が発生したサブプロセッサーのみを再起動する。第２処理は、異常の累積発生回数が所定の回数より多くなった場合に、ユーザーに異常の発生を通知し、画像表示装置全体の再起動を実行する。
【先行技術文献】
【特許文献】
【０００３】
【特許文献１】特開２０１１−９０５９７号公報
【発明の概要】
【発明が解決しようとする課題】
【０００４】
画像表示装置を安定して作動させるためには、異常の累積回数に関係なく、サブプロセッサーを定期的に再起動することが好ましい。しかし、画像表示装置が画像処理を実行している最中にサブプロセッサーが再起動すると、画像表示装置の動作が妨げられる。
【０００５】
本発明は、表示装置の動作が妨げられることを抑制しつつ、表示制御部を再起動させることができる表示装置を提供することを目的としている。
【課題を解決するための手段】
【０００６】
本発明の第１の局面によれば、表示装置は、画像を表示可能な表示部を含む。表示装置は、出力制御部と、表示制御部と、取得部と、判定部とを備える。出力制御部は、前記表示部を制御する。表示制御部は、前記表示部に表示される画像を制御する。取得部は、前記表示装置の動作に関する情報を取得する。判定部は、前記取得部が取得した情報に基づいて、前記表示制御部が再起動するタイミングであるか否かを判定する。
【発明の効果】
【０００７】
本発明によれば、表示装置の動作が妨げられることを抑制しつつ、表示制御部を再起動させることができる。
【図面の簡単な説明】
【０００８】
【図１】本発明の実施形態に係る表示装置のブロック図である。
【図２】表示装置の動作のスケジュールを示す図である。
【図３】制御装置の第１の動作を示すフロー図である。
【図４】制御装置の第２の動作を示すフロー図である。
【図５】制御装置の第３の動作を示すフロー図である。
【図６】制御装置の第４の動作を示すフロー図である。
【発明を実施するための形態】
【０００９】
本発明の実施形態について、図面を参照しながら説明する。なお、図中、同一又は相当部分については同一の参照符号を付して説明を繰り返さない。
【００１０】
図１を参照して、本発明の実施形態に係る表示装置１００について説明する。図１は、本発明の実施形態に係る表示装置１００のブロック図である。
【００１１】
図１に示すように、表示装置１００は、例えば、デジタルサイネージとして機能する。表示装置１００は、入力部１０と、画像入力装置２０と、表示ユニット３０とを備える。
【００１２】
入力部１０は、表示装置１００に対する指示を受け付ける。入力部１０は、例えば、表示ユニット３０と赤外線通信を行う機能を有するリモコンである。入力部１０は、例えば、操作ボタン、及び／又は、タッチパネルのような操作部を含む。ユーザーは、操作部を操作して、表示装置１００に対する指示を入力する。なお、入力部１０は、表示ユニット３０の筐体に設けられ、表示ユニット３０と有線接続されていてもよい。また、入力部１０は、音声により表示装置１００に対する指示を受け付けてもよい。
【００１３】
画像入力装置２０は、表示装置１００に表示させる画像データを取得して表示ユニット３０に入力する。画像入力装置２０は、例えば、テレビ放送の画像データを受信して表示ユニット３０に入力する。また、画像入力装置２０は、例えば、ＨＤＤのような記録装置に記録されている画像データを読み出して表示ユニット３０に入力する。また、画像入力装置２０は、例えば、カメラのような撮像装置によって撮像された画像データを取得して表示ユニット３０に入力する。
【００１４】
表示ユニット３０は、表示部３１を有する。
【００１５】
表示部３１は、例えば、液晶ディスプレー（Ｌｉｑｕｉｄ  Ｃｒｙｓｔａｌ  Ｄｉｓｐｌａｙ）である。なお、表示部３１は、ＥＬ（Ｅｌｅｃｔｒｏ−Ｌｕｍｉｎｅｓｃｅｎｃｅ）ディスプレー、又は、プラズマディスプレー（ＰＤＰ）でもよい。
【００１６】
表示ユニット３０は、記憶部３２と、制御装置４０とをさらに有する。
【００１７】
記憶部３２は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部３２は、制御装置４０によって実行される種々のコンピュータープログラムを記憶する。
【００１８】
記憶部３２は、表示装置１００の動作のスケジュール３２ａを記憶する。
【００１９】
制御装置４０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置４０は、記憶部３２に記憶されたコンピュータープログラムを実行することにより、表示ユニット３０の各要素を制御する。
【００２０】
制御装置４０は、出力制御部４１と、表示制御部４２と、取得部４３と、判定部４４と、稼働時間算出部４５と、稼働状態算出部４６とを含む。
【００２１】
出力制御部４１、及び表示制御部４２は、互いに異なるプロセッサーで構成される。本実施形態では、表示制御部４２、取得部４３、判定部４４、稼働時間算出部４５、及び稼働状態算出部４６は、同じプロセッサーで構成される。なお、表示制御部４２、取得部４３、判定部４４、稼働時間算出部４５、及び稼働状態算出部４６は、互いに異なるプロセッサーで構成されてもよい。
【００２２】
出力制御部４１と表示制御部４２とは、本実施形態では、互いに異なるプラットフォーム上で作動する。プラットフォームは、例えば、アンドロイド（登録商標）、ウインドウズ（登録商標）、及びリナックス（登録商標）のようなＯＳ（Ｏｐｅｒａｔｉｎｇ  Ｓｙｓｔｅｍ）、又は専用のファームウェアを含む。本実施形態では、表示制御部４２のＯＳは、アンドロイドである。出力制御部４１と表示制御部４２とは、互いに接続される。出力制御部４１と表示制御部４２とは、互いに情報を送受信することが可能である。なお、出力制御部４１と表示制御部４２とは、同じプラットフォーム上で作動してもよい。
【００２３】
出力制御部４１は、表示部３１を制御する。具体的には、出力制御部４１は、画像データを受信すると、表示部３１の各要素を制御して、画像データが表す画像を表示部３１に表示させる。
【００２４】
表示制御部４２は、表示部３１に表示される画像を制御する。具体的には、入力部１０は、表示部３１に画像を表示させる指示を受け付ける。そして、表示制御部４２は、入力部１０からの指示に応じた画像データを、画像入力装置２０から取得する。そして、表示制御部４２は、取得した画像データを出力制御部４１に送信する。その結果、出力制御部４１は、表示制御部４２から取得した画像データが表す画像を、表示部３１に表示させる。
【００２５】
表示ユニット３０は、受信部３３と、電源部３４とをさらに有する。
【００２６】
受信部３３は、有線通信又は無線通信によって入力部１０と通信可能に接続されている。本実施形態では、受信部３３は、入力部１０から出力される赤外線を受光するデバイスである。
【００２７】
電源部３４は、表示ユニット３０の各要素に電力を供給する。電源部３４は、出力制御部４１に対する電源の管理と、表示制御部４２に対する電源の管理とを互いに独立して行うことができる。
【００２８】
次に、図２を参照して、表示装置１００の動作のスケジュール３２ａについて説明する。図２は、表示装置１００の動作のスケジュール３２ａの一例を示す図である。
【００２９】
図２に示すように、表示装置１００の動作のスケジュール３２ａは、第１スケジュールＡと、第２スケジュールＢと、第３スケジュールＣとを含む。
【００３０】
第１スケジュールＡは、出力制御部４１の電源のスケジュールを示す。第１スケジュールＡは、稼働時間帯α１を示す情報と、停止時間帯α２を示す情報とを含む。稼働時間帯α１は、出力制御部４１の電源がオンになる時間帯を示す。出力制御部４１の電源がオンになると、出力制御部４１が稼働し、表示部３１が画像を表示可能な状態になる。停止時間帯α２は、出力制御部４１の電源がオフになる時間帯を示す。出力制御部４１の電源がオフになると、出力制御部４１が停止し、表示部３１が画像を表示不能な状態になる。
【００３１】
本実施形態では、稼働時間帯α１は、１８時から８時前までの時間帯に設定される。また、本実施形態では、停止時間帯α２は、８時から１８時前までの時間帯に設定される。また、本実施形態では、稼働時間帯α１、及び停止時間帯α２の各々は、毎日同じ時間帯に設定される。
【００３２】
第１スケジュールＡは、例えば、入力部１０を介して設定される。なお、入力部１０を介して、出力制御部４１の電源をオン及びオフのうちのいずれかに切り替えることができる。例えば、第１スケジュールＡが設定されていない場合、ユーザーは、入力部１０を介して、出力制御部４１の電源をオン及びオフのうちのいずれかに切り替える。
【００３３】
第２スケジュールＢは、表示制御部４２が画像再生を行うスケジュールを示す。本実施形態では、第２スケジュールＢは、表示制御部４２がメディアプレイヤーのような画像を再生するアプリケーションソフトウェアを実行するスケジュールを示す。
【００３４】
第２スケジュールＢは、再生時間帯β１と、休止時間帯β２とを含む。再生時間帯β１は、表示制御部４２が画像再生を行う時間帯を示す。休止時間帯β２は、表示制御部４２が画像再生を行わない時間帯を示す。第２スケジュールＢは、例えば、入力部１０を介して設定される。
【００３５】
本実施形態では、再生時間帯β１は、２時から８時前までの時間帯と、１８時から０時前までの時間帯とに設定される。また、本実施形態では、休止時間帯β２は、８時から１８時前までの時間帯と、０時から２時前までの時間帯とに設定される。また、本実施形態では、再生時間帯β１、及び休止時間帯β２の各々は、毎日同じ時間帯に設定される。
【００３６】
第３スケジュールＣは、表示制御部４２の電源のスケジュールを示す。第３スケジュールＣは、例えば、入力部１０を介して設定される。本実施形態では、第３スケジュールＣにおいて、表示制御部４２の電源が常にＯＮになるように設定される。従って、本実施形態では、表示制御部４２は２４時間稼働している。
【００３７】
次に、図３を参照して、制御装置４０の第１動作について説明する。図３は、制御装置４０の第１動作を示すフロー図である。
【００３８】
図３に示すように、ステップＳ１００において、取得部４３は、記憶部３２から第１スケジュールＡを取得する。
【００３９】
ステップＳ１１０において、判定部４４は、現在時刻が第１スケジュールＡで設定された停止時間帯α２内の時刻であるか否かを判定する。現在時刻が停止時間帯α２内の時刻である場合（ステップＳ１１０で、Ｙｅｓ）、処理がステップＳ１２０に移行する。現在時刻が停止時間帯α２内の時刻ではない場合（ステップＳ１１０で、Ｎｏ）、ステップＳ１１０に示す処理が繰り返される。
【００４０】
ステップＳ１２０において、第１条件が満たされると、表示制御部４２が再起動するタイミングであると判定部４４が判定する。第１条件は、現在時刻が第１スケジュールＡで設定された停止時間帯α２内の時刻になる条件を示す。
【００４１】
ステップＳ１３０において、表示制御部４２が再起動するタイミングであると判定部４４が判定すると、表示制御部４２が再起動する。その結果、処理が終了する。
【００４２】
以上、図３を参照して説明したように、判定部４４は、取得部４３が取得した情報に基づいて、表示制御部４２が再起動するタイミングであるか否かを判定する。従って、表示装置１００の動作状況を反映して表示制御部４２を再起動させるタイミングを決定することができる。その結果、表示装置１００の動作が妨げられることを抑制しつつ、表示制御部４２を再起動させることができる。
【００４３】
また、現在時刻が停止時間帯α２内の時刻になるとき、表示制御部４２が再起動する。従って、出力制御部４１の電源がオフになる時間帯を狙って、表示制御部４２を再起動させることができる。その結果、出力制御部４１の動作が妨げられることを抑制しつつ、表示制御部４２を再起動させることができる。
【００４４】
次に、図４を参照して、制御装置４０の第２動作について説明する。図４は、制御装置４０の第２動作を示すフロー図である。
【００４５】
第２動作では、表示制御部４２を再起動させる条件として、第１動作の条件に加え、表示制御部４２の連続稼働時間が用いられる点で第１動作と異なる。以下では、主に第１動作と異なる点を説明する。
【００４６】
図４に示すように、ステップＳ１００において、取得部４３は、記憶部３２から第１スケジュールＡを取得する。
【００４７】
ステップＳ１１０において、現在時刻が停止時間帯α２内の時刻である場合（ステップＳ１１０で、Ｙｅｓ）、処理がステップＳ１１６に移行する。
【００４８】
ステップＳ１１６において、稼働時間算出部４５は、表示制御部４２の連続稼働時間を算出する。表示制御部４２の連続稼働時間は、表示制御部４２がシャットダウン及び再起動すること無く、連続して稼働している時間を示す。なお、稼働時間算出部４５はタイマーの機能を有し、タイマーにより表示制御部４２の連続稼働時間をカウントする。
【００４９】
ステップＳ１１７において、取得部４３は、稼働時間算出部４５が算出した表示制御部４２の連続稼働時間を示す情報を取得する。
【００５０】
ステップＳ１１８において、判定部４４は、ステップＳ１１７で取得された表示制御部４２の連続稼働時間が所定の稼働時間以上であるか否かを判定する。
【００５１】
表示制御部４２の連続稼働時間が所定の稼働時間以上の場合（ステップＳ１１８で、Ｙｅｓ）、処理がステップＳ１２０に移行する。表示制御部４２の連続稼働時間が所定の稼働時間以上でない場合（ステップＳ１１８で、Ｎｏ）、処理がステップＳ１１０に移行する。
【００５２】
所定の稼働時間は、予め設定されている。制御装置４０の第２動作では、所定の稼働時間は、２３時間に設定される。従って、制御装置４０の第２動作では、１日にほぼ１回の割合で、表示制御部４２の再起動が行われる。
【００５３】
ステップＳ１２０において、第１条件と、第２条件とが満たされると、表示制御部４２が再起動するタイミングであると判定部４４が判定する。第２条件は、表示制御部４２の連続稼働時間が所定の稼働時間以上になる条件を示す。
【００５４】
以上、図４を参照して説明したように、表示制御部４２の連続稼働時間が所定の稼働時間以上になるとき、表示制御部４２が再起動する。従って、所望の時間間隔を空けて表示制御部４２を再起動させることができる。
【００５５】
次に、図５を参照して、制御装置４０の第３動作について説明する。図５は、制御装置４０の第３動作を示すフロー図である。
【００５６】
第３動作では、表示制御部４２を再起動させる条件として、出力制御部４１の稼働状態と、表示制御部４２の連続稼働時間とが用いられる点で第１動作と異なる。以下では、主に第１動作と異なる点を説明する。
【００５７】
なお、第１スケジュールＡが設定されておらず、ユーザーが入力部１０を介して出力制御部４１の電源をオン及びオフのうちのいずれかに切り替えている場合、制御装置４０が第３動作を実行し、表示制御部４２を再起動させることが好ましい。
【００５８】
図５に示すように、ステップＳ１１３において、稼働状態算出部４６は、出力制御部４１の稼働状態を算出する。稼働状態算出部４６は、例えば、出力制御部４１に供給される電力の有無、及び／又は、出力制御部４１が表示部３１に送信する画像データの有無に基づいて、出力制御部４１の稼働状態を算出する。出力制御部４１の稼働状態は、作動状態と、停止状態とを含む。作動状態は、表示部３１に画像が表示されている状態を示す。具体的には、作動状態は、出力制御部４１に電力が供給され、さらに、出力制御部４１が表示部３１に画像データを送信している状態を示す。停止状態は、表示部３１に画像が表示されていない状態を示す。具体的には、停止状態は、出力制御部４１の電源がオフの状態、出力制御部４１がスタンバイの状態、及び出力制御部４１が表示部３１に画像データを送信していない状態のうちの少なくとも１つを示す。
【００５９】
ステップＳ１１４において、取得部４３は、稼働状態算出部４６が算出した出力制御部４１の稼働状態を示す情報を取得する。
【００６０】
ステップＳ１１５において、ステップＳ１１４で取得された情報に基づいて、判定部４４は、出力制御部４１が停止状態であるか否かを判定する。出力制御部４１が停止状態である場合（ステップＳ１１５で、Ｙｅｓ）、処理がステップＳ１１６に移行する。出力制御部４１が停止状態ではない場合（ステップＳ１１５で、Ｎｏ）、処理がステップＳ１１９に移行する。
【００６１】
ステップＳ１１５で、Ｙｅｓの場合、図４を参照して説明したステップＳ１１６〜ステップＳ１１８に示す処理が実行される。
【００６２】
ステップＳ１１８において、表示制御部４２の連続稼働時間が所定の稼働時間以上の場合（ステップＳ１１８で、Ｙｅｓ）、処理がステップＳ１２０に移行する。表示制御部４２の連続稼働時間が所定の稼働時間以上でない場合（ステップＳ１１８で、Ｎｏ）、処理がステップＳ１１９に移行する。
【００６３】
ステップＳ１２０において、第３条件と、第４条件とが満たされると、表示制御部４２が再起動するタイミングであると判定部４４が判定する。第３条件は、出力制御部４１が停止状態になる条件を示す。第４条件は、表示制御部４２の連続稼働時間が所定の稼働時間以上になる条件を示す。
【００６４】
ステップＳ１１９において、判定部４４は、ステップＳ１１３に示す処理が実行されてから所定の待機時間が経過したか否かを判定する。
【００６５】
ステップＳ１１３に示す処理を実行してから所定の待機時間が経過している場合（ステップＳ１１９で、Ｙｅｓ）、処理がステップＳ１１３に移行する。ステップＳ１１３に示す処理を実行してから所定の待機時間が経過していない場合（ステップＳ１１９で、Ｎｏ）、ステップＳ１１９に示す処理が繰り返される。
【００６６】
所定の待機時間は、予め設定されている。制御装置４０の第３動作では、所定の待機時間は、例えば、１５分に設定される。従って、制御装置４０の第３動作では、表示制御部４２の再起動が行われない場合、１５分間隔で出力制御部４１の稼働状態が算出される。なお、所定の待機時間は、１５分に限定されない。
【００６７】
以上、図５を参照して説明したように、出力制御部４１が停止状態になるとき、表示制御部４２が再起動する。従って、出力制御部４１の動作が妨げられることを抑制しつつ、表示制御部４２を再起動させることができる。
【００６８】
また、第２スケジュールＢが設定されておらず、入力部１０を介して出力制御部４１の電源がオン及びオフのうちのいずれかに切り替えられる場合でも、出力制御部４１が停止状態になるタイミングを狙って表示制御部４２を再起動させることができる。
【００６９】
次に、図６を参照して、制御装置４０の第４動作について説明する。図６は、制御装置４０の第４動作を示すフロー図である。
【００７０】
第４動作では、表示制御部４２を再起動させる条件として、第２スケジュールＢが用いられる点で第３動作と異なる。以下では、主に第３動作と異なる点を説明する。
【００７１】
ステップＳ１１１において、取得部４３は、記憶部３２から第２スケジュールＢを取得する。
【００７２】
ステップＳ１１２において、判定部４４は、現在時刻が第２スケジュールＢで設定された休止時間帯β２内の時刻であるか否かを判定する。現在時刻が休止時間帯β２内の時刻である場合（ステップＳ１１２で、Ｙｅｓ）、処理がステップＳ１１３に移行する。現在時刻が休止時間帯β２内の時刻ではない場合（ステップＳ１１２で、Ｎｏ）、ステップＳ１１２に示す処理が繰り返される。
【００７３】
ステップＳ１１２で、Ｙｅｓの場合、図５を参照して説明したステップＳ１１３〜ステップＳ１１５に示す処理が実行される。
【００７４】
ステップＳ１１５において、出力制御部４１が停止状態である場合（ステップＳ１１５で、Ｙｅｓ）、処理がステップＳ１２０に移行する。出力制御部４１が停止状態ではない場合（ステップＳ１１５で、Ｎｏ）、処理がステップＳ１１２に移行する。
【００７５】
ステップＳ１２０において、第３条件と、第５条件とが満たされると、表示制御部４２が再起動するタイミングであると判定部４４が判定する。第５条件は、現在時刻が休止時間帯β２内の時刻になる条件を示す。
【００７６】
以上、図６を参照して説明したように、現在時刻が休止時間帯β２内の時刻になり、かつ、出力制御部４１が停止状態になるタイミングを狙って表示制御部４２を再起動させることができる。従って、出力制御部４１及び表示制御部４２の各々の動作が妨げられることを抑制しつつ、表示制御部４２を再起動させることができる。
【００７７】
以上、図面（図１〜図６）を参照しながら本発明の実施形態について説明した。但し、本発明は、上記の実施形態に限られるものではなく、その要旨を逸脱しない範囲で種々の態様において実施することが可能である（例えば、（１）〜（６））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００７８】
（１）制御装置４０の第１動作（図３参照）において、ステップＳ１１０で、Ｎｏの場合、ステップＳ１１９に示す処理（図５参照）が実行されてもよい。この場合、所定の待機時間が経過すると（ステップＳ１１９で、Ｙｅｓ）、処理がステップＳ１１０に移行し、現在時刻が第１スケジュールＡで設定された停止時間帯α２内の時刻であるか否かを、判定部４４が判定し直す。
【００７９】
（２）制御装置４０の第１動作において、ステップＳ１１０で、Ｎｏの場合、ステップＳ１１９に示す処理が実行されてもよい。この場合、所定の待機時間が経過すると（ステップＳ１１９で、Ｙｅｓ）、処理がステップＳ１００に移行し、取得部４３が記憶部３２から第１スケジュールＡを取得し直す。
【００８０】
（３）制御装置４０の第２動作（図４参照）において、ステップＳ１１０で、Ｎｏの場合、ステップＳ１１９に示す処理（図５参照）が実行されてもよい。さらに、ステップＳ１１８で、Ｎｏの場合、ステップＳ１１９に示す処理（図５参照）が実行されてもよい。この場合、所定の待機時間が経過すると（ステップＳ１１９で、Ｙｅｓ）、処理がステップＳ１１０に移行し、現在時刻が第１スケジュールＡで設定された停止時間帯α２内の時刻であるか否かを、判定部４４が判定し直す。
【００８１】
（４）制御装置４０の第２動作において、ステップＳ１１０で、Ｎｏの場合、ステップＳ１１９に示す処理が実行されてもよい。さらに、ステップＳ１１８で、Ｎｏの場合、ステップＳ１１９に示す処理（図５参照）が実行されてもよい。この場合、所定の待機時間が経過すると（ステップＳ１１９で、Ｙｅｓ）、処理がステップＳ１００に移行し、取得部４３が記憶部３２から第１スケジュールＡを取得し直す。
【００８２】
（５）制御装置４０の第４動作（図６参照）において、ステップＳ１１２で、Ｎｏの場合、ステップＳ１１９に示す処理（図５参照）が実行されてもよい。さらに、ステップＳ１１５で、Ｎｏの場合、ステップＳ１１９に示す処理（図５参照）が実行されてもよい。この場合、所定の待機時間が経過すると（ステップＳ１１９で、Ｙｅｓ）、処理がステップＳ１１２に移行し、現在時刻が第２スケジュールＢで設定された休止時間帯β２内の時刻であるか否かを、判定部４４が判定し直す。
【００８３】
（６）制御装置４０の第４動作において、ステップＳ１１２で、Ｎｏの場合、ステップＳ１１９に示す処理が実行されてもよい。さらに、ステップＳ１１５で、Ｎｏの場合、ステップＳ１１９に示す処理（図５参照）が実行されてもよい。この場合、所定の待機時間が経過すると（ステップＳ１１９で、Ｙｅｓ）、処理がステップＳ１１１に移行し、取得部４３が記憶部３２から第２スケジュールＢを取得し直す。
【産業上の利用可能性】
【００８４】
本発明は、表示装置の分野に利用可能である。
【符号の説明】
【００８５】
１０    入力部
３１    表示部
３２    記憶部
４１    出力制御部
４２    表示制御部
４３    取得部
４４    判定部
４５    稼働状態算出部
４６    稼働時間算出部
１００  表示装置
Ａ      第１スケジュール
Ｂ      第２スケジュール
α１    稼働時間帯
α２    停止時間帯
β１    再生時間帯
β２    休止時間帯
【図１】
2019144300.tif 000003
【図２】
2019144300.tif 000004
【図３】
2019144300.tif 000005
【図４】
2019144300.tif 000006
【図５】
2019144300.tif 000007
【図６】
2019144300.tif 000008